(57)【要約】【課題】高圧の噴射水流を使用して作業する際の作業者の怪我を防止すると共に、軽量化を実現し、柔軟性を向上させることを可能にした防護服及び保護体を提供する。【解決手段】表カバー部１１及び裏カバー部１２からなる被服体１０と、表カバー部１１と裏カバー部１２との間に挿入される保護体２０とを備え、保護体２０が複数枚の織物２１及び複数枚の金属箔２２から構成され、これら織物２１及び金属箔２２がその厚さ方向に交互に積層されている。【選択図】図２
2019137930.tif 000002
【特許請求の範囲】
【請求項１】
表カバー部及び裏カバー部からなる被服体と、前記表カバー部と前記裏カバー部との間に挿入される保護体とを備え、該保護体が複数枚の織物及び複数枚の金属箔から構成され、これら織物及び金属箔がその厚さ方向に交互に積層されていることを特徴とする防護服。
【請求項２】
前記保護体が前記被服体に対して着脱可能に構成されることを特徴とする請求項１に記載の防護服。
【請求項３】
前記織物及び前記金属箔がその周縁部の一部で互いに接合される一方で他の部位では互いに接合されていない状態にあることを特徴とする請求項１又は２に記載の防護服。
【請求項４】
前記織物がポリエステル繊維から構成され、前記金属箔がアルミニウムから構成されることを特徴とする請求項１〜３のいずれかに記載の防護服。
【請求項５】
防護服に用いられる保護体であって、複数枚の織物及び複数枚の金属箔から構成され、これら織物及び金属箔がその厚さ方向に交互に積層されていることを特徴とする保護体。
【発明の詳細な説明】
【技術分野】
【０００１】
本発明は、防護服及び保護体に関し、更に詳しくは、高圧の噴射水流を使用して作業する際の作業者の怪我を防止すると共に、軽量化を実現し、柔軟性を向上させることを可能にした防護服及び保護体に関する。
【背景技術】
【０００２】
一般に、既設のコンクリート構造物に対して補修工事や改修工事を行う際に、ウォータージェット工法と呼ばれる工法が行われている。この工法は、既設のコンクリート構造物に対して、通常、２０００〜２５００バールの非常に高い水圧の水流を噴射させて、その衝撃力によりコンクリートを剥がし取るものである。その際、作業者は怪我を防止するために頭部や胴部、手足の先端部に至るまで全身を防護する防護服を着用する。
【０００３】
このような防護服として、本体部が、可撓性を有する帯状の金属薄板の複数枚が一部重畳した構造を有して並置されて所要の面積を呈して連繋された連繋構造を有するものが提案されている（例えば、特許文献１）。上述した特許文献１に記載の防護服によれば非常に高い防護性能を確保することができる一方で、防護服の重量が重くなり柔軟性の観点で十分ではないという懸念がある。
【先行技術文献】
【特許文献】
【０００４】
【特許文献１】特許第６０２１１５４号公報
【発明の概要】
【発明が解決しようとする課題】
【０００５】
本発明の目的は、高圧の噴射水流を使用して作業する際の作業者の怪我を防止すると共に、軽量化を実現し、柔軟性を向上させることを可能にした防護服及び保護体を提供することにある。
【課題を解決するための手段】
【０００６】
上記目的を達成するための本発明の防護服は、表カバー部及び裏カバー部からなる被服体と、前記表カバー部と前記裏カバー部との間に挿入される保護体とを備え、該保護体が複数枚の織物及び複数枚の金属箔から構成され、これら織物及び金属箔がその厚さ方向に交互に積層されていることを特徴とするものである。
【０００７】
上記目的を達成するための本発明の保護体は、防護服に用いられる保護体であって、複数枚の織物及び複数枚の金属箔から構成され、これら織物及び金属箔がその厚さ方向に交互に積層されていることを特徴とするものである。
【発明の効果】
【０００８】
本発明では、保護体は互いに積層された複数枚の織物及び複数枚の金属箔から構成されるので、その保護体を備えた防護服の軽量化を実現すると共に、良好な柔軟性を確保することができる。これにより、作業者の身体の動きに応じて防護服が柔軟に変形し、高圧の噴射水流を使用して作業する際の作業性を大幅に改善することができる。また、保護体において複数枚の織物及び複数枚の金属箔がその厚さ方向に交互に積層されているので、金属箔を薄肉化した場合であっても、積層された織物及び金属箔が高圧の噴射水流を遮断し、十分な防護性能を確保することができる。これにより、高圧の噴射水流を使用して作業する際の作業者の怪我を防止することができる。
【０００９】
本発明では、保護体は被服体に対して着脱可能に構成されることが好ましい。保護体が被服体に対して着脱可能とすることにより、保護体を構成する金属箔が損傷した場合、その保護体を容易に交換することができる。
【００１０】
本発明では、織物及び金属箔はその周縁部の一部で互いに接合される一方で他の部位では互いに接合されていない状態にあることが好ましい。これにより、防護服として十分な柔軟性を確保することができる。また、必要に応じて金属箔の損傷状態を確認することができる。
【００１１】
本発明では、織物はポリエステル繊維から構成され、金属箔はアルミニウムから構成されることが好ましい。これにより、防護服として十分な柔軟性を確保すると共に、重量を効果的に軽くすることができる。
【図面の簡単な説明】
【００１２】
【図１】本発明の実施形態からなる防護服の一例を示す平面図である。
【図２】図１のＸ−Ｘ矢視断面図である。
【図３】本発明の実施形態からなる保護体における成形時の形状を示すものであり、上半身に着用する上衣の平面図である。
【図４】本発明の実施形態からなる防護服の変形例を示す断面図である。
【図５】本発明の実施形態からなる保護体の変形例における成形時の形状を示すものであり、下半身に着用する下衣の平面図である。
【発明を実施するための形態】
【００１３】
以下、本発明の構成について添付の図面を参照しながら詳細に説明する。図１及び図２は本発明の実施形態からなる防護服を示すものである。図１において、図面の上方が頭部側を示し、図面の下方が足部側を示す。図２において、図面の上方が外表面側を示し、図面の下方が身体側を示す。
【００１４】
図１に示す本発明の防護服１は上半身に着用する上衣である。この防護服１は被服体１０と保護体２０からなる。被服体１０は表カバー部１１と裏カバー部１２とを含むものである。図２に示すように、保護体２０は表カバー部１１と裏カバー部１２との間に挿入される。保護体２０は複数枚（図２では５枚）の織物２１と複数枚（図２では４枚）の金属箔２２から構成される。
【００１５】
被服体１０を構成する表カバー部１１及び裏カバー部１２はそれぞれ防護服１の表側及び裏側を構成する。これら表カバー部１１及び裏カバー部１２は、それぞれ撥水加工された繊維生地１３，１４を含んでいることが好ましい。このように表カバー部１１の撥水加工された繊維生地１３は防護服１の外表面側の表面層を構成し、裏カバー部１２の撥水加工された繊維生地１４は防護服１の身体側の表面層を構成することで、防護服１が水流を受けても表カバー部１１及び裏カバー部１２が水を弾き、防護服１の全体が水を含んだ状態になりにくくし、被服体１０に挿入される保護体２０を構成する金属箔２２が腐食することを防止することができる。
【００１６】
表カバー部１１は、主に防護服１の内部への水の浸入を防止する役割を果たすものである。表カバー部１１は撥水加工された繊維生地１３のみから構成しても良い。このような撥水加工された繊維生地１３は、ポリエステル又はナイロンからなる織物であることが好ましく、目付が２００ｇ／ｍ2〜３００ｇ／ｍ2の範囲にある高密度織物であることがより好ましい。
【００１７】
裏カバー部１２は、表カバー部１１と同様、防護服１の内部への水の浸入を防止することが重要である。裏カバー部１２は、表面層を構成する撥水加工された繊維生地１４と、アラミド繊維からなる繊維シート１５とを含む少なくとも２層の積層構造を有することが好ましい。このように撥水加工された表面層として繊維生地１４を配置した場合、その繊維生地１４に隣接して繊維シート１５を配置すると良い。
【００１８】
また、アラミド繊維からなる繊維シート１５はフェルト状であることが好ましい。このような繊維シート１５を用いることで、高圧の噴射水流やコンクリートの破片が防護服１に衝突した際に繊維シート１５がその衝撃に対する緩衝材となり、あらゆる方向に強力を発揮することができるため好適である。特に、アラミド繊維のうちパラ系アラミド繊維が望ましい。
【００１９】
更に、本発明の防護服１は内部に金属箔２２を含んでいるため帯電するおそれがある。こうした防護服１の帯電を防止するため、裏カバー部１２は導電性繊維糸を含むポリエステル織物１６を含んで構成しても良い。
【００２０】
上記防護服において、保護体２０を構成する織物２１及び金属箔２２は、その厚さ方向に交互に積層されている。このような積層構造を有することで、異種の材料が隣接して配置されるため層間のズレが発生し易く、防護服として適度な柔軟性を得ることができる。これに対して、織物と金属箔のいずれかがその積層構造の一部で隣接して配置されている場合、その隣接した部分では同じ素材が重なるため層間のズレが生じにくくなるため、防護服１としての柔軟性を確保するにあたって好ましくない。
【００２１】
織物２１は保護体２０の外表面側及び身体側の表面層を構成する。織物２１は、保護体２０において金属箔２２の枚数よりも１枚多く配置される。織物２１は、ポリエステル繊維からなることが好ましく、更には、目付が１００ｇ／ｍ2〜１５０ｇ／ｍ2の範囲にある高密度織物であることがより好ましい。
【００２２】
金属箔２２は可撓性を有する平板状の薄い金属箔である。金属箔２２の材質としてはアルミニウムを用いることが好ましい。金属箔２２は、防護服１の防護性能を確保しながら、軽量化を実現するため、保護体２０において少なくとも３枚を配置すると良い。
【００２３】
金属箔２２は厚さが２５μｍ〜３５μｍであることが好ましい。厚さが２５μｍ〜３５μｍである金属箔２２を用いることで、軽量化を実現すると共に、良好な柔軟性を確保することができる。ここで、２５μｍよりも薄いと十分な防護性能を確保することが難しく、逆に厚さが３５μｍよりも厚いと適度な可撓性を得ることが難しく、一度変形すると元の形状に戻りにくい傾向がある。
【００２４】
上述した防護服では、保護体２０は互いに積層された複数枚の織物２１及び複数枚の金属箔２２から構成されるので、その保護体２０を備えた防護服１の軽量化を実現すると共に、良好な柔軟性を確保することができる。これにより、作業者の身体の動きに応じて防護服１が柔軟に変形し、高圧の噴射水流を使用して作業する際の作業性を大幅に改善することができる。また、保護体２０において複数枚の織物２１及び複数枚の金属箔２２がその厚さ方向に交互に積層されているので、金属箔２２を薄肉化した場合であっても、積層された織物２１及び金属箔２２が高圧の噴射水流を遮断し、十分な防護性能を確保することができる。これにより、高圧の噴射水流を使用して作業する際の作業者の怪我を防止することができる。
【００２５】
次に、本発明の防護服を構成する保護体の製造方法について説明する。図３は本発明の実施形態からなる防護服を構成する保護体の成形時の形状を示すものである。図３に示すように、成形工程において保護体２０を構成する織物２１及び金属箔２２は互いに略同一の平面形状に成形される。その際、これら織物２１及び金属箔２２には、それぞれ他の部材と接合される部位である接合部２３を設ける。これら全ての織物２１及び金属箔２２を図２に示す積層構造を形成するように重ね、これら全ての接合部２３に対して幅方向の複数の箇所で仮留めを行い、その仮留めした接合部２３を足部側に折り返した後、接合部２３を幅方向に沿ってテープ等により固定する。このようにして保護体２０を製造することができる。なお、本発明の保護体２０で用いる金属箔２２は薄く破れ易いため、織物２１及び金属箔２２の接合部２３は縫製しない。
【００２６】
上述のように製造された保護体２０において、織物２１及び金属箔２２はその周縁部Ｌの一部（図１では頭部側に位置する上縁部２０ａ）で互いに接合されている。その一方で、織物２１及び金属箔２２の頭部側に位置する上縁部２０ａを除く他の部位では互いに接合されていない。即ち、織物２１及び金属箔２２は、上縁部２０ａを除く他の部位において各部材間でフリーな状態を有している。なお、他の部位には織物２１及び金属箔２２の外表面側及び身体側の表面も含まれる。
【００２７】
上述した保護体及びそれを備える防護服では、織物２１及び金属箔２２がその周縁部Ｌの一部で互いに接合される一方で他の部位では互いに接合されていない状態にあるので、保護体２０又は防護服１として十分な柔軟性を確保することができる。また、必要に応じて金属箔２２の損傷状態を確認することができる。
【００２８】
また、本発明の防護服１は、上述のように成形した保護体２０を表カバー部１１及び裏カバー部１２からなる袋状の被服体１０に挿入した後、被服体１０と保護体２０とが互いにズレないように固定する。このようにして防護服１を製造することができる。また、被服体１０には身体に装着できるようにベルト等の装着部材１０ａを適宜設けることができる。
【００２９】
上記防護服において、保護体２０は被服体２に対して着脱可能に構成されることが好ましい。具体的には、ボタン・ホック、レールファスナー、面ファスナー等を用いて保護体２０を被服体２に対して着脱可能に固定することができる。このように保護体２０を被服体２に対して着脱可能に構成することで、保護体２０を構成する金属箔２２が損傷した場合、その保護体２０を容易に交換することができる。
【００３０】
上述した図３の実施形態では、織物２１及び金属箔２２の接合部２３は、それぞれ頭部側に位置する周縁部に１箇所設けられ、頭部側に突出した形状を有する例を示したが、接合部２３の個数及び形状はこれに限定されるものではなく、任意の個数及び形状の接合部２３を設けることができる。
【００３１】
また、上述した図１及び図３の実施形態では、防護服１及び保護体２０として上半身に着用する上衣の例を示したが、防護服１及び保護体２０の形状は特に限定されるものではない。本発明の防護服１及び保護体２０は、図４及び図５に示すように、下半身に着用する下衣にも適用することができる。下衣の場合、防護服１は複数の区画（図４では２区画）に区分され、一対の保護体２０がそれぞれの区画に挿入された構造を有することができる。この場合、一対の保護体２０はそれぞれが独立して図２に示す積層構造を有している。
【符号の説明】
【００３２】
１  防護服
１０  被服体
１１  表カバー部
１２  裏カバー部
１３  繊維生地
１４  繊維生地
１５  繊維シート
１６  ポリエステル織物
２０  保護体
２１  織物
２２  金属箔
【図１】
2019137930.tif 000003
【図２】
2019137930.tif 000004
【図３】
2019137930.tif 000005
【図４】
2019137930.tif 000006
【図５】
2019137930.tif 000007